(57)【要約】      （修正有）【課題】取扱いに不慣れな使用者であっても、極めて安全且つ効率的に段ボール等の厚物を切断処理できる電動カッターを提供する。【解決手段】回転刃Ｃ１と、前記回転刃Ｃ１を駆動するモータと、回転刃Ｃ１の外周の一部に設定される切断部ＣＡを挟んで、切断部ＣＡへ被切断物を案内する案内面Ｇａ，Ｇｂが回転刃Ｃ１に略直交する姿勢となるように、対向配置された第１のガード部材ＵＧと第２のガード部材ＬＧと、を備え、第２のガード部材ＬＧに、回転刃Ｃ１の外周の一部を収容する凹部が形成され、第１のガード部材ＵＧと本体ケーシング１とによって、回転刃Ｃ１の刃部が囲繞されている。【選択図】図５
2017047067.tif 000002
【特許請求の範囲】
【請求項１】
回転刃と、
前記回転刃を駆動するモータと、
前記回転刃の外周の一部に設定される切断部を挟んで対向配置され、被切断物を前記回転刃に略直交する姿勢で前記切断部へ案内する一対の案内面が形成された第１のガード部材と第２のガード部材と、
を備えている電動カッター。
【請求項２】
前記回転刃の径方向に沿って第１のガード部材よりも遠方に位置する前記第２のガード部材に、前記回転刃の外周の一部を覆う凹部が形成されている請求項１記載の電動カッター。
【請求項３】
前記モータ及び前記モータによって前記回転刃を駆動する駆動連結機構の少なくとも一部を収容する本体ケーシングがさらに設けられ、
前記第１のガード部材と前記本体ケーシングとによって、前記回転刃の前後及び側部の一部が覆われている請求項１または２記載の電動カッター。
【請求項４】
前記本体ケーシングの下面が、前記第１のガード部材の案内面と面一に連なるように構成され、前記第２のガード部材と対向するように配置されている請求項３記載の電動カッター。
【請求項５】
前記回転刃の回転中心を挟んで前記第２のガード部材の反対側に把持部が設けられ、
前記第２のガード部材の前端が前記第１のガード部材の前端よりも前方に位置するように構成されている請求項４記載の電動カッター。
【請求項６】
前記第１のガード部材が透光性材料によって形成されている請求項１から５の何れかに記載の電動カッター。
【発明の詳細な説明】
【技術分野】
【０００１】
本発明は、電動カッターに関する。
【背景技術】
【０００２】
近年、インターネット上の通販サイトを利用した商品購入の機会が増加しており、購入商品は多くの場合、段ボール箱等の梱包資材で梱包された状態で宅配便によって購入者宅まで配送される。
【０００３】
このような梱包資材は都市ごみ或いは資源再生ゴミとして業者等に回収される場合が多いのであるが、大きな梱包資材は非常に嵩張り、また鋏やカッターナイフで容易に解体することができなかったため、取り扱いに窮する場合が多かった。特に非力な女性や子供が鋏やカッターナイフを用いて段ボール箱を解体するのは非常に危険でもあった。
【０００４】
特許文献１には、切断刃による手指等の身体の傷損を未然に防止しながら迅速に切断処理できるカッターとして、把手部の先端に取付部を湾曲形成し、この取付部に鋸歯を有する切断刃を設け、該切断刃を先端部ほど幅狭に形成し、把手部と取付部の形成角度θを２３〜２７度に調整した段ボール用のカッターが開示されている。
【０００５】
特許文献２には、本体１の先端部に装着した一組の刃体をモータの回転によって開閉駆動する電動鋏が開示されている。当該電動鋏は通常の使用状態では刃体が最大に開いた状態で停止させ、スイッチの切替え操作によって刃体を任意の開閉位置に停止させることができるように構成されている。このような構成により、作業終了時や持ち運びのために、刃体が閉じた状態で停止させることができる。
【先行技術文献】
【特許文献】
【０００６】
【特許文献１】特開平７−８６４１号公報
【特許文献２】特開平８−２９４５８５号公報
【発明の概要】
【発明が解決しようとする課題】
【０００７】
しかし、特許文献１に開示された段ボール用のカッターの切断刃は、常時露出された状態であるため、不注意で手指が切断刃に接触し、或いは誤って手指が切断刃に接触すると怪我する虞があった。
【０００８】
特許文献２に開示された電動鋏は、作業終了時や持ち運びに備えて刃体が閉じた状態で停止させることができるように構成されているが、通常の使用状態では刃体が開いた状態で停止することもあり、断続的に行われる段ボール箱等の厚物の切断作業中に、不注意で手指が切断刃に接触し、或いは誤って手指が切断刃に接触すると怪我する虞があるという点で、特許文献１に開示された段ボール用のカッターと同様の問題があった。
【０００９】
つまり、取扱いに不慣れな女性や子供であっても安全に使用できるという切断具ではなかった。
【００１０】
本発明の目的は、上述した従来の問題点に鑑み、取扱いに不慣れな使用者であっても、極めて安全且つ効率的に段ボール等の厚物を切断処理できる電動カッターを提供する点にある。
【課題を解決するための手段】
【００１１】
上述の目的を達成するため、本発明による電動カッターの第一の特徴構成は、特許請求の範囲の書類の請求項１に記載した通り、回転刃と、前記回転刃を駆動するモータと、前記回転刃の外周の一部に設定される切断部を挟んで対向配置され、被切断物を前記回転刃に略直交する姿勢で前記切断部へ案内する一対の案内面が形成された第１のガード部材と第２のガード部材と、を備えている点にある。
【００１２】
対向配置された第１のガード部材と第２のガード部材の案内面によって、被切断物が回転刃に対して略直交姿勢を保ちながら切断部に案内され、被切断物に対してその直交姿勢を保った状態で切断されるので、回転刃に対して被切断物の面が傾斜した状態で切断する場合と比較して、効率的に切断できるようになる。また、当該切断部はそのような第１のガード部材と第２のガード部材とで挟まれているため、切断部に手指が進入する虞が低減され、不注意で或いは誤って手指が切断刃に接触することが抑制できるようになる。
【００１３】
同第二の特徴構成は、同請求項２に記載した通り、上述の第一の特徴構成に加えて、前記回転刃の径方向に沿って第１のガード部材よりも遠方に位置する前記第２のガード部材に、前記回転刃の外周の一部を覆う凹部が形成されている点にある。
【００１４】
回転刃の刃部の一部が第１ガード部材と第２のガード部材との間に形成される隙間を縦断するように第２のガード部材に形成された凹部に位置するようになるので、案内面で案内された被切断物は、案内面と回転刃の刃先との間を素通りすることなく、確実に切断されるようになる。しかも、回転刃の下部刃先は凹部で覆われるので、使用者の手指や身体の一部が回転刃の刃先に接触する虞が低減され、安全性を高めることができるようになる。
【００１５】
同第三の特徴構成は、同請求項３に記載した通り、上述の第一または第二の特徴構成に加えて、前記モータ及び前記モータによって前記回転刃を駆動する駆動連結機構の少なくとも一部を収容する本体ケーシングがさらに設けられ、前記第１のガード部材と前記本体ケーシングとによって、前記回転刃の前後及び側部の一部が覆われている点にある。
【００１６】
回転刃の前後及び側部の一部が第１のガード部材と本体ケーシングとによって覆われているので、例えば回転刃の前後及び側部に何らかの物体からの衝撃が加わるような場合でも、その衝撃が第１のガード部材または本体ケーシングで受け止められて回転刃が破損するようなことがない。また、使用者の手指や身体の一部が回転刃に接近するような場合でも、第１のガード部材と本体ケーシングによって保護されるので、取扱いに不慣れな大人や子供であっても安全性を高めることができるようになる。
【００１７】
同第四の特徴構成は、同請求項４に記載した通り、上述の第三の特徴構成に加えて、前記本体ケーシングの下面が、前記第１のガード部材の案内面と面一に連なるように構成され、前記第２のガード部材と対向するように配置されている点にある。
【００１８】
本体ケーシングの下面が第１のガード部材の案内面と協働して被切断物を切断部に案内することで、仮に重量で大きな被切断物であっても安定姿勢で切断部に案内することができ、効率的に切断作業を継続することができるようになる。
【００１９】
同第五の特徴構成は、同請求項５に記載した通り、上述の第四の特徴構成に加えて、前記回転刃の回転中心を挟んで前記第２のガード部材の反対側に把持部が設けられ、前記第２のガード部材の前端が前記第１のガード部材の前端よりも前方に位置するように構成されている点にある。
【００２０】
回転刃の回転中心を挟んで把持部とは反対側、つまり電動カッターに対して被切断物を配置する側に第２のガード部材が位置する。第１のガード部材の前端、つまり電動カッターに対して被切断物を配置する側の端部よりも、第２のガード部材の前端がさらに前方に位置する。従って、先ず第２のガード部材の前端側上面に被切断物が位置するように、把持部を手で握った状態で、目視確認しながら被切断物に対して電動カッターを相対的に位置決めし、次に第２のガード部材とそれより把持部側に位置する第１のガード部材との間に段ボール片ＣＤを挟むように、電動カッターと被切断物とを相対的に移動させればよい。このような操作により、正確に且つ容易に被切断物を切断部に導くことができるようになる。
【００２１】
同第六の特徴構成は、同請求項６に記載した通り、上述の第一から第五の何れかの特徴構成に加えて、前記第１のガード部材が透光性材料によって形成されている点にある。
【００２２】
第１のガード部材を透過して切断中の被切断物の状態を視認することができるため、安心して作業できるようになると同時により一層の操作性の向上を図ることができるようになる。
【発明の効果】
【００２３】
以上説明した通り、本発明によれば、取扱いに不慣れな使用者であっても、極めて安全且つ効率的に段ボール等の厚物を切断処理できる電動カッターを提供することができるようになった。
【図面の簡単な説明】
【００２４】
【図１】（ａ）は本発明の実施形態を示す電動カッターの正面、平面、及び右側面を表す斜視図、（ｂ）は同平面、右側面及び背面を表す斜視図、（ｃ）は同正面、右側面及び底面を表す斜視図、（ｄ）は同底面、右側面及び背面を表す斜視図
【図２】（ａ）は電動カッターの平面図、（ｂ）は同右側面図、（ｃ）は同正面図、（ｄ）は同底面図
【図３】操作部とロック部材の取付け構造を示す要部の斜視図
【図４】（ａ）は電動カッターの内部構造を示し、平面、右側面及び背面を表す斜視図、（ｂ）は同正面、右側面及び底面を表す斜視図、（ｃ）は同正面、平面、及び右側面を表す斜視図
【図５】（ａ）は電動カッターから第２ガード部材を離脱させた状態を表す分解右側面図、（ｂ）は同正面、右側面及び底面を表す分解斜視図
【図６】第１及び第２ガード部材の取付け構造を示し、正面、平面及び右側面を表す分解斜視図
【図７】（ａ）は第１及び第２ガード部材の取付け構造の細部を示し、正面、平面及び右側面を表す分解斜視図、（ｂ）はケーシングの側壁から突出する回転軸への回転刃の取付け構造を示し、（ａ）の部分拡大図
【図８】（ａ），（ｂ），（ｃ）は第２ガード部材の本体ケーシングへの取付け構造を示す斜視図
【図９】（ａ），（ｂ）はホルダーの斜視図
【図１０】（ａ）は電動カッターをホルダーに収容する前の状態を示す右側面図、（ｂ）は電動カッターがホルダーに収容された状態を示す右側面図、（ｃ）は充電用ケーブルがホルダーに収納された状態を示す斜視図
【発明を実施するための形態】
【００２５】
以下に、本発明を構成する電動カッターの一例を図面に基づいて説明する。
図１（ａ）〜（ｄ）及び図２（ａ）〜（ｄ）に示すように、電動カッター１００は、把持部Ｈと切断処理部Ｃとを備えている。略筒状に形成された樹脂製の本体ケーシング１の基端ＲＡ側に把持部Ｈが設けられ、先端ＦＥ側に回転刃Ｃ１と回転刃Ｃ１を回転駆動するモータや減速機構等を本体ケーシング１内に収容した切断処理部Ｃが設けられている。
【００２６】
尚、本実施形態においては、被切断物を切断時に配置する側を前方、これとは反対側を後方と定義する。さらに、被切断と直交する方向を上下方向と定義し、把持部Ｈを設ける側を上方、これとは反対側を下方とする。加えて前後方向及び上下方向に直交する方向を左右方向または側面方向と称する。
【００２７】
当該本体ケーシング１は右ケーシング１Ａと左ケーシング１Ｂとガードケーシング１Ｃの３部材で構成されている。右ケーシング１Ａと左ケーシング１Ｂで構成される筒状部Ｒ１（図１（ａ），図２（ａ）参照）が把持部Ｈとなる。筒状部Ｒ１の軸心Ｐ１に対して右ケーシング１Ａ及び左ケーシング１Ｂが切断処理部Ｃに向けて一方向に屈曲形成され、さらに平面視で当該軸心Ｐ１と直交する軸心Ｐ２に沿うように半筒状部Ｒ２（図１（ａ），図２（ａ）参照）が延出形成されている。軸心Ｐ２が後述する回転刃Ｃ１の回転軸心となる。
【００２８】
把持部Ｈとなる筒状部Ｒ１の下側には、板状のガードケーシング１Ｃが設けられている。ガードケーシング１Ｃは半筒状部Ｒ２から筒状部Ｒ１に略平行に延出形成され、基端ＲＡ側の近傍で上方に向けて滑らかに立ち上がり筒状部Ｒ１の端部を覆うように取り付けられている。
【００２９】
このような構成により、例えば段ボール等を切断する際に手指がガードケーシング１Ｃで保護され、把持部Ｈを把持した使用者の手指が段ボールのエッジや段ボールに付いているステープル等と接触して怪我をする虞が低減される。
【００３０】
ガードケーシング１Ｃのうち本体ケーシング１の基端ＲＡ側の端面１Ｄには、筒状部Ｒ１に内蔵されたバッテリ６（図４参照）を充電するための充電プラグＲ３（図１０（ｃ）参照）を接続する充電インレット３が設けられ、その上部にはバッテリ６の充電状態を表示するための表示手段としてＬＥＤ等を用いた充電モニタ４が設けられている。充電中はオレンジ色が表示され充電完了後は緑色に切替表示される。
【００３１】
把持部Ｈを構成する本体ケーシング１のうち、ガードケーシング１Ｃに対向する位置から突出するように操作ボタン２が取り付けられ、操作ボタン２のロックを解除して押圧操作を許容するためのロック解除ボタンＳＰが、操作ボタン２の近傍より左右に突出するように配置されている。当該操作ボタン２を押圧操作することにより回転刃Ｃ１が回転駆動される。
【００３２】
図３には、操作ボタン２及びロック解除ボタンＳＰを含むロック部材１５の取付け構造が示されている。操作ボタン２は本体ケーシング１から下方に突出するようにバネ２Ｃで弾性付勢されている。操作ボタン２の前縁に左右一対の矩形状の凹部２Ａが形成され、一対の矩形状の凹部２Ａの中央に矩形状の凸部２Ｂが形成されている。図には示されていないが、操作ボタン２が押圧されると接点が導通し、操作ボタン２が押圧状態から開放されると接点が遮断されるスイッチが組み込まれている。
【００３３】
ロック部材１５は、断面Ｕ字状のブロック部ＳＰ１と、ブロック部ＳＰ１の前側より左右方向に延出する一対の略円柱状のロック解除ボタンＳＰと、ブロック部ＳＰ１の下面中央より下側に延出する矩形状の係合凸部ＳＰ２とが一体成型されることで構成されている。
【００３４】
本体ケーシング１から左右方向へのロック解除ボタンＳＰの突出状態が同一となる中立位置で、係合凸部ＳＰ２が操作ボタン２の凸部２Ｂと対向するように配置されている。
【００３５】
ロック部材１５はロック解除ボタンＳＰの長手方向に沿って移動可能に本体ケーシング１に取り付けられ、ロック解除ボタンＳＰに対する本体ケーシング１の左側からの押込み操作により右側に移動し、右側からの押込み操作により左側に移動し、さらに押込み操作から開放されると中立位置に姿勢復帰するように図示しないバネによって付勢されている。
【００３６】
ロック解除ボタンＳＰが左右何れか一方向に押圧移動されると、係合凸部ＳＰ２が一対の凹部２Ａの何れか一方に嵌入可能な位置に移動し、その状態で操作ボタン２が押し込まれると係合凸部ＳＰ２が凹部２Ａに嵌入して回転刃Ｃ１を回転駆動するためのスイッチの接点が導通して回転刃Ｃ１が回転する。そして、操作ボタン２が押圧状態から開放されるとスイッチ接点が開放されて回転刃Ｃ１が停止する。
【００３７】
右手で把持部Ｈを把持した使用者は、ロック位置にあるロック解除ボタンＳＰを親指で左側から押込むロック解除操作を行うことにより、操作ボタン２の押込み操作が許容される。左手で把持部Ｈを把持した使用者は、ロック位置にあるロック解除ボタンＳＰを親指で右側から押込み操作することにより、操作ボタン２の押込み操作が許容される。そして、操作ボタン２から指を離すとロック解除ボタンＳＰがロック位置に自動復帰し、操作ボタン２の押込み操作が阻止されるロック状態になる。
【００３８】
図１（ａ）〜（ｄ）及び図２（ａ）〜（ｄ）に戻って説明を続ける。
本体ケーシング１の先端ＦＥ側には、被切断物である段ボール片ＣＤ等の梱包材を回転刃Ｃ１に向けて略直交する姿勢で案内する一対の案内面Ｇａ，Ｇｂ（図２（ｂ）参照）が形成された第１のガード部材ＵＧ及び第２のガード部材ＬＧが配置されている。第１のガード部材ＵＧ及び第２のガード部材ＬＧは、共に透明樹脂材料であるアクリル樹脂によって形成されている。
【００３９】
回転刃Ｃ１の外周に形成される刃部のうち、第１のガード部材ＵＧと第２のガード部材ＬＧに挟まれた部位で段ボール片ＣＤ等と最初に当接する部位が切断部ＣＡとなる。
【００４０】
回転刃Ｃ１の回転軸心Ｐ２を挟んで第２のガード部材ＬＧの反対側に把持部Ｈが設けられている（図２（ｃ）参照）。また、第２のガード部材ＬＧの前端Ｆ２が第１のガード部材ＵＧの前端Ｆ１よりも前方に位置するように構成されている（図２（ｂ）参照）。
【００４１】
第１のガード部材ＵＧの前端Ｆ１側上面には、回転刃Ｃ１の位置を示す三角形の指示部ＵＧ１（図２（ａ）参照）が凸状に形成されている。段ボール片ＣＤの切断したい部位を当該指示部ＵＧ１に合わせた状態で段ボール片ＣＤと電動カッター１００とを相対的に移動させると、正確な位置で切断できるようになる。
【００４２】
さらに、第１のガード部材ＵＧが透明材料によって形成されており、第１のガード部材ＵＧを透過して切断中の段ボール片ＣＤの状態を視認することができるため、安心して作業できるようになり、一層の操作性の向上を図ることができるようになる。
【００４３】
図４（ａ），（ｂ），（ｃ）に示すように、把持部Ｈを構成する本体ケーシング１の内部には円柱状に形成されたバッテリ６が収容され、バッテリ６を挟んで充電インレット３とは反対側に回転刃Ｃ１を駆動するモータ７及び減速機構８が収容されている。バッテリ６としてリチウムイオン電池、モータ７として直流モータやステッピングモータ、減速機構８として遊星歯車機構等が好適に用いられる。
【００４４】
減速機構８の出力軸（図示せず）には回転中心軸を９０°変化させる傘歯車機構９が連結され、傘歯車機構９を介してモータ７の駆動力が伝達されることで、回転軸１０は軸心Ｐ２回りに回転可能となっている。両端が軸受１０Ａ（図４（ｃ）参照）で支持された回転軸１０の一端側に回転刃Ｃ１が取り付けられる。即ち、減速機構８と傘歯車機構９と回転軸１０によってモータ７の駆動力を伝達し、回転刃Ｃ１を駆動する駆動連結機構ＤＵが構成されている。
【００４５】
ロック解除ボタンＳＰを左右何れかに押込み操作して、操作ボタン２を押圧操作すると、バッテリ６からモータ７へ通電するスイッチ（図示せず）が閉じられてモータ７が回転し、傘歯車機構９を介して回転刃Ｃ１が回転駆動される。操作ボタン２を押圧している指を離すと操作ボタン２が元の位置に弾性復帰し、スイッチ（図示せず）が開いてモータ７が停止する。このとき、ロック解除ボタンＳＰも自動的にロック状態である中立位置に復帰する。
【００４６】
図２（ｂ），（ｃ）及び図５（ａ），（ｂ）に示すように、第１のガード部材ＵＧと第２のガード部材ＬＧは切断部ＣＡを挟んで対向配置されている。第１のガード部材ＵＧと第２のガード部材ＬＧが互いに対向する部位が、段ボール片ＣＤを回転刃Ｃ１に略直交する姿勢で切断部ＣＡへ案内する一対の案内面Ｇａ，Ｇｂとなる。また、第２のガード部材ＬＧは、回転刃Ｃ１の径方向に沿って第１のガード部材ＵＧよりも遠方に位置するように配置されている。
【００４７】
案内面Ｇｂと対向する第１のガード部材ＵＧの底部外周には、略Ｌ字状領域の凹状面ＵＧ２（図５（ｂ）参照）と、凹状面ＵＧ２よりも下方に突出し、端面が平坦に形成されたリブＵＧ３（図５（ｂ）参照）が設けられ、当該リブＵＧ３の端面が上述した案内面Ｇａとして機能するように構成されている。
【００４８】
さらに、本体ケーシング１の下面１Ｅが、第１のガード部材ＵＧの案内面Ｇａと面一に連なるように構成され、第２のガード部材ＬＧと対向するように配置されている。本体ケーシング１の下面１Ｅが第１のガード部材ＵＧの案内面Ｇａと協働して段ボール片ＣＤを切断部ＣＡに案内することで、仮に重量で大きな段ボール片ＣＤであっても安定姿勢で切断部ＣＡに案内することができ、効率的に切断作業を継続することができるようになる。
【００４９】
第１のガード部材ＵＧと第２のガード部材ＬＧの間隙は段ボール片ＣＤの厚みよりも大きく、人の指の太さより小さい５ｍｍ〜１０ｍｍ程度の値に設定されていることが好ましい。本実施形態では第１のガード部材ＵＧと第２のガード部材ＬＧの間隙は約８ｍｍに設定されており、回転刃Ｃ１の側面より第１及び第２ガード部材ＵＧ，ＬＧの側面までの距離は約２５ｍｍに設定されている。
【００５０】
当該切断部ＣＡはそのような第１のガード部材ＵＧと第２のガード部材ＬＧとで挟まれているため、切断部ＣＡへの手指の進入が当該第１のガード部材ＵＧ及び第２のガード部材ＬＧで確実に阻止されるようになり、不注意で或いは誤って手指が回転刃Ｃ１に接触するような虞が低減される。
【００５１】
図６及び図７（ａ），（ｂ）に示すように、切断処理部Ｃを構成する右ケーシング１Ａの側壁１Ｊに形成された開口から回転軸１０が僅かに突出するように配置され、その回転軸１０の端面にさらに突出するように円柱の一部を平行面でカットした柱状部１０Ｂが形成されている。
【００５２】
回転刃Ｃ１の中心部に形成された長孔Ｃ１０に当該柱状部１０Ｂが嵌入され、当該角柱部１０Ｂの端面に形成されたネジ穴１０Ｃに固定ネジ２０が螺合され、以て回転軸１０と切断刃Ｃ１が一体に回転するように固定されている。
【００５３】
回転刃Ｃ１は側面視で多角形に形成され（本実施形態では正十角形）、回転駆動される際に刃先と段ボール片ＣＤとが交差する刃角が鋏のように次第に変化するように構成されている。このような構成により厚手の段ボール片ＣＤであっても刃角が変化しながら回転する回転刃Ｃ１により効率的に切断されるようになる。
【００５４】
尚、回転刃Ｃ１の形状は特に制限されるものではなく、多角形であれば正八角形であっても正十二角形であってもよく、多角形ではなく円形であってもよい。また、刃先が鋸刃状に形成されていてもよい。
【００５５】
さらに、先端に研磨部材２２が接着または溶着された弾性竿２１が、回転刃Ｃ１の厚みより僅かに薄く形成されたスペーサ２３を挟んでＴ字ブラケット２４に固定されている。そしてＴ字ブラケット２４が左ケーシング１Ｂの側壁１Ｊにネジで固定される。こうすることで、回転刃Ｃ１の側面から刃先に向けて弾性付勢される研磨部材２２により回転刃Ｃ１の回転時に研磨されるようになる。スペーサ２３の厚みを調整することにより回転刃Ｃ１の側面から押圧する研磨部材２２の押圧力を調整することができる。
【００５６】
側面視で半ドーナッツリング形状の刃体カバー１Ｆが回転刃Ｃ１の外周の上部領域を覆うように、右ケーシング１Ａの側壁１Ｊに対向して取り付けられる。刃体カバー１Ｆは、内周部に雌ネジが形成された一対の筒状突起２７が突出形成されている。右ケーシング１Ａの側壁１Ｊに形成された一対の開口３３にそれぞれの筒状突起２７が嵌め込まれた状態で、一対の開口３３から突出する取付け用ネジ３１で締付固定されている。
【００５７】
図８（ａ），（ｂ），（ｃ）に示すように、右ケーシング１Ａの先端ＦＥ側の下部に係合凹部１Ｇが形成され、その係合凹部１Ｇに連なるように左右方向に沿って係合溝部１Ｈが形成されている。第１のガード部材ＵＧは、右ケーシング１Ａの側壁１Ｊに沿うように後端Ｒ１側から前端Ｆ１側に延出形成された側板ＵＧ４と、前端Ｆ１側で本体ケーシング１の先端ＦＥに沿うように延出形成された前板ＵＧ５を備えている。
【００５８】
側板ＵＧ４及び前板ＵＧ５のうち、本体ケーシング１と対向する内側縁部ＵＧ４１，ＵＧ５１は平面視でＬ字形に形成され、前板ＵＧ５の内側縁部ＵＧ５１には、先端側に係止突起Ｇｄが形成されるとともに、係止突起Ｇｄに隣接して係止凸部Ｇｅが形成されている。
【００５９】
第１のガード部材ＵＧの後端Ｒ１側では、側板ＵＧ４の内側縁部ＵＧ４１から立上り部Ｇｃが延出形成され、その上端側に取付孔２６が形成されるとともに取付孔２６の上方に支持片ＵＧ６が形成されている。
【００６０】
第１のガード部材ＵＧの係止突起Ｇｄを係合凹部１Ｇに係合させるとともに、第１のガード部材ＵＧの係止凸部Ｇｅを係合溝部１Ｈに嵌め込み、さらに右ケーシング１Ａの側壁１Ｊ近傍に形成された延出部３４の上部に支持片ＵＧ６を係合させた状態で、当該延出部３４にインサート成型されたインサートナット３２にネジ止めされる。従って、第１のガード部材ＵＧは本体ケーシングン１に正確に位置決めされた状態で強固に固定される。
【００６１】
また、第１のガード部材ＵＧと本体ケーシング１（１Ａ）と本体ケーシング１（１Ａ）に取り付けられる刃体カバー１Ｆとによって閉じられた枠形状となり、この枠の内部に回転刃Ｃ１が収まるように配置されることによって回転刃Ｃ１の外周に形成された刃部が覆われるようになる。
【００６２】
このようにして、第１のガード部材ＵＧと本体ケーシング１（１Ａ）とによって、回転刃Ｃ１の前後及び側部の一部が覆われる結果、例えば回転刃Ｃ１の前後及び側部に何らかの物体からの衝撃が加わるような場合でも、その衝撃が第１のガード部材ＵＧまたは本体ケーシング１（１Ａ）で受け止められて回転刃Ｃ１が破損するようなことがない。
【００６３】
さらに、このような構成が採用されているので、使用者の手指や身体の一部が回転刃Ｃ１に接近するような場合でも、直接刃部に接触するようなことがなく、取扱いに不慣れな大人や子供であっても十分な安全性を確保できるようになる。
【００６４】
図６及び図７（ａ），（ｂ）に戻って説明を続ける。第２のガード部材ＬＧは四隅が曲面に形成され、その上面が案内面Ｇｂとして機能する略矩形板状の案内板Ｇ３で構成され、ガードホルダＧ４を介して本体ケーシング１に取り付けられている。
【００６５】
ガードホルダＧ４は、底板部Ｇ４０と側板部Ｇ４１を構成する略Ｌ字形に形成された平坦な板金を、底板部Ｇ４０に対して側板部Ｇ４１を９０°折り曲げ加工することにより構成されている。
【００６６】
案内板Ｇ３の下面中央には、長手方向に沿って延びる略矩形状の凸部Ｇ７が形成されており、凸部Ｇ７の内側では上方を開放され、長手方向に沿って延びる略矩形状の凹部Ｇ５が形成されている。そしてさらに、凸部Ｇ７の前側には開口Ｇ６（図５参照）が形成されている。ガードホルダＧ４の底板部Ｇ４０の先端Ｇ４２（図７（ａ）参照）を、凸部Ｇ７の開口Ｇ６に引っ掛けた状態で凹部Ｇ５の底部にガードホルダＧ４の底板部Ｇ４０が挿入され、下方からネジ２９ａ，２９ｂでネジ止め固定されている。そのため、ネジ２９ａ，２９ｂのみに負担をかけることなく強固に固定されるようになる。
【００６７】
ガードホルダＧ４の側板部Ｇ４１に形成された二つのネジ孔２５ａ，２５ｃを介して右ケーシング１Ａの側壁１Ｊにネジ止めされる。尚、側板部Ｇ４１に形成された孔２５ｂは、右ケーシング１Ａの側壁１Ｊから突出する刃体カバー１Ｆの取付け用ネジ３１と干渉しないための逃がし孔である。
【００６８】
ガードホルダＧ４の底板部Ｇ４０の先端側に形成された略三角形状の立上り部２８は回転刃Ｃ１の保護壁として機能する。
【００６９】
第２のガード部材ＬＧが右ケーシング１Ａの側壁１Ｊに固定された状態で、当該凹部Ｇ５が回転刃Ｃ１の外周の一部（下部刃先）を覆うように配置される。回転刃Ｃ１の刃部の一部が第１ガード部材ＵＧと第２のガード部材ＬＧとの間に形成される隙間を縦断するように第２のガード部材ＬＧに形成された凹部Ｇ５に位置するようになるので、案内面Ｇａ，Ｇｂで案内された段ボール片ＣＤは、案内面Ｇａ，Ｇｂと回転刃Ｃ１の刃先との間を素通りすることなく、確実に切断されるようになる。しかも、回転刃Ｃ１の下部刃先は凹部Ｇ５で覆われるので、使用者の手指や身体の一部が回転刃Ｃ１の刃先に接触するようなことがなく、十分な安全性が確保できるようになる。
【００７０】
このような電動カッター１００を用いて段ボール片ＣＤを切断する場合には、第１ガード部材ＵＧに表示された三角形の指示部ＵＧ１（図２（ａ）参照）に段ボールＣＤの切断希望箇所を位置合わせして、第１及び第２ガード部材ＵＧ，ＬＧの隙間に段ボールＣＤを挿入し、段ボールＣＤと電動カッター１００とを相対移動させれば、切断部ＣＡで段ボールＣＤが切断され、切断された段ボールＣＤは、その後ガードホルダＧ４の側板部Ｇ４１で左右に別れて案内面Ｇａ，Ｇｂを通過するようになる。このような操作により、正確に且つ容易に段ボール片ＣＤを切断部ＣＡに導くことができるようになる。
【００７１】
図９（ａ），（ｂ）に示すように、上述の電動カッター１００を収容するための略直方体状のホルダー５が用意されている。ホルダー５の上面５Ａ側及び一側面５Ｂには、電動カッター１００の切断処理部Ｃを構成する本体ケーシング１の先端部を収容するために凹設された収容部５１と、充電ケーブルＲ２（図１０（ｃ）参照）の充電プラグＲ３（図１０（ｃ）参照）を挿入するプラグ保持部として機能する孔部５２とが形成されている。
【００７２】
収容部５１の表面は、電動カッター１００の切断処理部Ｃとなる本体ケーシング１の先端側と第１及び第２のガード部材ＵＧ，ＬＧの外周部に対応する形状に形成されている。
【００７３】
また、ホルダー５の底面側には充電ケーブルＲ２（図１０（ｃ）参照）を巻き付け収容するためのリール部５３が設けられ、ホルダー５の４面の側壁のうち対向する一対の側壁には、底面側端部の対角位置の近傍に充電ケーブルＲ２（図１０（ｃ）参照）を係止するための一対の切欠部５４が形成されている。
【００７４】
図１０（ａ）〜（ｃ）に示すように、電動カッター１００の未使用時には、収容部５１に電動カッター１００の切断処理部Ｃを挿入することにより、電動カッター１００と収容部５１とが一体になった状態で例えばクローゼット等の収納庫に収納されるように構成されている。
【００７５】
さらに、ホルダー５の孔部５２に充電ケーブルＲ２の充電プラグＲ３を挿入し、充電プラグＲ３近傍の充電ケーブルＲ２を一方の切欠部５４に係合し、リール部５３に充電ケーブルＲ２を巻回し、ＡＣプラグＲ１の近傍の充電ケーブルＲ２を他方の切欠部５４に係合することにより、電動カッター１００とホルダー５と充電ケーブルＲ２を一体に取り纏めることができ、何れかの部品が紛失するようなことを回避することができるようになる。尚、ＡＣプラグＲ１が設けられた直方体の部材は、内部にＡＣ／ＤＣコンバータが収容されたＤＣ電源部Ｒである。
【００７６】
以下、別実施形態を説明する。
上述した実施形態では、第１のガード部材ＵＧ及び第２のガード部材ＬＧがともに透光性を示す透明樹脂材料で構成された例を説明したが、被切断部材が目視確認できる程度の透光性を示すものであるなら半透明部材で構成されていてもよい。また、少なくとも第１のガード部材ＵＧが透明または半透明部材で構成されていればよく、第２のガード部材ＬＧは不透明な部材で構成されていてもよい。
【００７７】
上述した実施形態では、第１のガード部材ＵＧの底面に形成されたリブＵＧ３の端面が案内面Ｇａとして機能する例を説明したが、第１のガード部材ＵＧの底面全域が平坦な案内面Ｇａに構成されていてもよい。
【００７８】
上述した例では、被切断物が段ボール等の梱包材である場合を例に説明したが、本発明による電動カッター１００の被切断物は段ボールに限らず、発泡スチロールで形成された板状部材等、任意の梱包材に適用でき、さらには、ボール紙等の厚紙や色紙等の文具、ベニヤ板のような合板の切断にも用いることができる。
【００７９】
上述した実施形態では、モータ６及びモータ６によって回転刃Ｃ１を駆動する駆動連結機構ＤＵ（８，９，１０）の全てが本体ケーシング１に収容された例を説明したが、モータ７及び駆動連結機構ＤＵの少なくとも一部が本体ケーシング１に収容されるように構成されていればよい。
【００８０】
また、駆動連結機構ＤＵとして減速機構８や傘歯車機構９を備えることなく、モータ７で直接回転軸１０が駆動されるように構成されていてもよい。この場合、回転軸１０が駆動連結機構ＤＵとなる。
【００８１】
上述した実施形態では、第１及び第２のガード部材ＵＧ，ＬＧの案内面Ｇａ，Ｇｂが平行面となるように配置された例を説明したが、案内面Ｇａ，Ｇｂは必ずしも平行姿勢に配置されていなくてもよく、多少傾斜する姿勢で配置されていてもよい。例えば、前端から後端側に進むにつれて徐々に間隙が小さくなるように案内面Ｇａ，Ｇｂが曲面に形成されていてもよく、実質的に平行となっていればよい。
【００８２】
以上説明した電動カッターは、本発明の一実施形態に過ぎず、該記載により本発明の範囲が限定されるものではなく、本発明の作用効果を奏する範囲で各部の具体的な構造、形状、大きさ、材料等は適宜変更設計することができることはいうまでもない。
【符号の説明】
【００８３】
１：本体ケーシング
１Ａ：右ケーシング
１Ｂ：左ケーシング
１Ｃ：ガードケーシング
２：操作ボタン
３：充電インレット
４：充電モニタ
５：ホルダー
６：バッテリ
７：モータ
８：減速機構
９：傘歯車機構
１０：回転軸
１００：電動カッター
Ｃ：切断処理部
Ｃ１：回転刃
ＣＡ：切断部
ＤＵ：駆動連結機構
Ｇ５：凹部
Ｇａ，Ｇｂ：案内面
Ｈ：把持部
ＵＧ：第１のガード部材
ＬＧ：第２のガード部材
【図１】
2017047067.tif 000003
【図２】
2017047067.tif 000004
【図３】
2017047067.tif 000005
【図４】
2017047067.tif 000006
【図５】
2017047067.tif 000007
【図６】
2017047067.tif 000008
【図７】
2017047067.tif 000009
【図８】
2017047067.tif 000010
【図９】
2017047067.tif 000011
【図１０】
2017047067.tif 000012